(57)【要約】【課題】  携帯用無線電話装置において、現在地点の絶対方位を示す位置情報を検出し、検出した位置情報を送受信することを可能とする。【解決手段】  音声情報およびデータ情報を入出力する入出力手段と、音声情報およびデータ情報を無線を介して送受信する送受信手段とを少なくとも備えた携帯用無線電話装置において、３個以上の衛星から出力された電波を受信する受信手段と、受信した電波に基づいて、現在地点の絶対方位を示す位置情報を検出する検出手段とを備え、上記送受信手段は、音声情報およびデータ情報に加えて、上記位置情報を無線を介して送受信する。【選択図】図１
2004242343.tif 000002
【特許請求の範囲】
【請求項１】
音声情報およびデータ情報を入出力する入出力手段と、音声情報およびデータ情報を無線を介して送受信する送受信手段とを少なくとも備えた携帯用無線電話装置において、
３個以上の衛星から出力された電波を受信する受信手段と、受信した電波に基づいて、現在地点の絶対方位を示す位置情報を検出する検出手段とを備え、
上記送受信手段は、音声情報およびデータ情報に加えて、上記位置情報を無線を介して送受信することを特徴とする携帯用無線電話装置。
【請求項２】
請求項１記載の携帯用無線電話装置において、
上記位置情報を示す内容を表示する表示手段を備えたことを特徴とする携帯用無線電話装置。
【請求項３】
請求項２記載の携帯用無線電話装置において、
複数の絶対方位と該絶対方位に対応する地理情報を記憶している記憶手段を備え、
上記表示手段は、上記位置情報に対応する地理情報を表示することを特徴とする携帯用無線電話装置。
【請求項４】
請求項２記載の携帯用無線電話装置において、
地図情報を記憶している記憶手段を備え、
上記表示手段は、上記地図情報、および、上記地図情報において上記位置情報に相当する部分を示す内容を表示することを特徴とする携帯用無線電話装置。
【請求項５】
請求項１記載の携帯用無線電話装置において、
地図情報を記憶している外部の記憶装置、並びに、上記地図情報、および、上記地図情報において上記位置情報に相当する部分を示す内容を表示する外部の表示装置に接続する接続手段を備えたことを特徴とする携帯用無線電話装置。
【請求項６】
請求項１，２，３，４または５記載の携帯用無線電話装置において、
上記送受信手段および上記受信手段は、同一のアンテナを共用することを特徴とする携帯用無線電話装置。
【発明の詳細な説明】
【技術分野】
【０００１】
本発明は、携帯用無線電話装置に係り、特に、現在地点の絶対方位を示す位置情報を検出し、検出した位置情報を送信したり、表示したりすることが可能な携帯用無線電話装置に関する。
【背景技術】
【０００２】
近年、情報化社会の進展と共に、ポケットベルや携帯用無線電話が普及してきている。
【０００３】
一方、全地球的な範囲で、絶対方位を計測することが可能な衛星システムの整備が進められている。このシステムにおいては、３個以上の衛星から出力された電波を受信し、受信した電波に基づいて、受信している装置の現在地点の絶対方位（緯度・経度）を示す位置情報を検出するようにしている。このシステムは、軍事目的で開発されたものであるが、「モーターファン」誌，９０年２月号に記載されているように、自動車のナビゲーションシステムにも利用されている。
【０００４】
図５は従来の携帯用無線電話装置を示す斜視図である。
【０００５】
図５に示すように、携帯用無線電話本体１は、液晶ディスプレイ２と、レシーバー３と、マイク４と、アンテナ５と、キーボタン６と、内蔵回路（図示せず。）とを備え、コードレスで通話することが可能である。また、液晶ディスプレイ２には、キーボタン６を操作することにより、例えば、予め登録されている電話番号や人名等を表示することが可能である。
【０００６】
ところが、従来の携帯用無線電話装置は、音声情報やデータ情報を送受信する機能を有しているものの、現在地点の絶対位置を示す位置情報を検出し、該位置情報を送信したり表示したりする機能を有していなかった。
【０００７】
ただし、携帯用無線電話装置の基地局においては、それぞれの携帯用無線電話装置の位置情報を検出する方法がある。この方法は、複数の基地局から送信監視信号を携帯用無線電話装置が再生し返送したときの電波の位相差を利用して位置情報を検出するものであり、誤差は約７キロメートルとなる。従って、携帯用無線電話装置が自身の位置情報を検出するために、基地局が検出した位置情報を利用したとしても、正確な位置情報を得ることはできない。
【発明の開示】
【発明が解決しようとする課題】
【０００８】
上述したように、従来の携帯用無線電話装置においては、道に迷ったときや不案内な場所に向かっているときに、自身の位置情報を正確に検出することはできなかった。また、自身の位置情報を通話相手に送信したり、通話相手から送信された位置情報を受信したりすることはできなかった。
【０００９】
例えば、事故発生時等の緊急時には、一刻も早くその正確な位置情報を警察署や消防署に通知する必要があるが、地理に不案内な者には、的確・迅速な位置情報を通知することができない場合があるという問題があった。
【００１０】
そこで、携帯用無線電話装置において、自身の位置情報を検出するために、上述した衛星システムを利用することが考えられる。
【００１１】
本発明の目的は、現在地点の絶対方位を示す位置情報を正確に検出し、検出した位置情報を送信したり、表示したりすることが可能な携帯用無線電話装置を提供することにある。
【００１２】
また、本発明の他の目的は、通話相手から送信された位置情報を受信して表示することが可能な携帯用無線電話装置を提供することにある。
【課題を解決するための手段】
【００１３】
衛星システムを利用するためには、衛星システムから出力された電波を受信する受信手段と、受信した電波に基づいて、現在地点の絶対方位を示す位置情報を検出する検出手段とを備えるようにすればよい。
【００１４】
すなわち、本発明は、従来の携帯用無線電話装置に、上記受信手段および上記検出手段を付加するようにし、携帯用無線電話装置が有する送受信手段が、検出された位置情報を送信することができるようにしている。
【００１５】
また、さらに、位置情報を示す内容を表示する表示手段を付加するようにし、自身の位置情報を表示することができるようにしたり、また、携帯用無線電話装置が有する送受信手段が通話相手から受信した位置情報を表示することができるようにしたりしてもよい。
【００１６】
３個以上の衛星から出力された電波には、実際には、それぞれ、識別符号が付けられており、どの電波がどの衛星から出力されたものであるかを識別することができる。上記検出手段は、受信した電波の発射源である各衛星との距離を算出し、それらを演算して、受信している携帯用無線電話装置の現在地点の絶対方位（緯度・経度）を示す位置情報を検出する。衛星システムを利用すると、誤差が約２５メートルの正確さで位置情報を検出することが可能となる。
【００１７】
上記送受信手段は、検出された位置情報を通話相手に送信する。
【００１８】
また、上記表示手段は、検出された位置情報を示す内容を表示する。表示の仕方としては、例えば、緯度・経度の数字で表示したり、また、例えば、予め記憶されているテーブルに基づいて、「〇〇駅周辺」というように、位置情報を具体的に示すメッセージで表示したりする。なお、このテーブルは、いくつかの緯度・経度の値とそれに対応する地理情報を格納しているテーブルである。また、例えば、予め記憶されている地図情報を表示し、この地図情報において位置情報に相当する部分を示すようにする。携帯用無線電話装置の大きさおよび記憶容量、並びに、通話する頻度と位置情報を表示する頻度との差を考えると、このような表示の仕方を行うためには、上記表示手段（または、上記表示手段および上記検出手段）は、実際には、携帯用無線電話装置に接続可能な他の装置に組み込まれるようにする場合がある。
【００１９】
また、上記送受信手段は、通話相手から送信された位置情報を受信し、上記表示手段は、受信した位置情報を、自身の位置情報と同様に表示する。
【発明の効果】
【００２０】
以上説明したように、本発明の携帯用無線電話装置は、現在地点の絶対方位を示す位置情報を検出し、検出した位置情報を送信したり、表示したりすることができるという効果がある。
【００２１】
従って、例えば、一方または両方が地理に不案内な状況下であっても、位置情報を的確・迅速に通知することができ、特に、事故発生時等の緊急時に、地理に不案内な状況下であっても、その現場の位置情報を正確に素早く通知することができるなど、その利用価値は高い。
【発明を実施するための最良の形態】
【００２２】
以下、本発明の実施例について図面を参照して説明する。
【００２３】
図１は本発明の第１の実施例の携帯用無線電話装置の斜視図、図２は本発明の第１の実施例の携帯用無線電話装置の機能ブロック図である。
【００２４】
図１および図２において、１は携帯用無線電話本体、２は液晶ディスプレイ、３はレシーバー、４はマイク、５は通話送受信用アンテナ、６はキーボタン、１０は本体機能部、１１は送受信回路、１２は主制御回路、１３は画像制御回路、１４は地図データメモリ、２０は画像表示部、２１は駆動回路、３０は位置検出部、３１は衛星受信用アンテナ、３２は受信回路、３３は演算処理回路である。
【００２５】
携帯用無線電話本体１は、大まかに言って、本体機能部１０，画像表示部２０，位置検出部３０が、機械的に一体に結合され、かつ、電気的に接続されたものとなっている。
【００２６】
本体機能部１０は、レシーバー３，マイク４，キーボタン６，通話送受信用アンテナ５と接続された送受信回路１１，主制御回路１２，画像制御回路１３，地図データメモリ１４を備えており、主制御回路１２は、レシーバー３，マイク４，キーボタン６，画像制御回路１３，位置検出部３０の演算処理回路３３に接続されている。
【００２７】
位置検出部３０は、１.５ＧＨｚ帯の衛星受信用アンテナ３１，受信回路３２，演算処理回路３３を備えている。衛星受信用アンテナ３１は、３個以上の衛星から出力された電波を受信し、受信回路３２は、受信された電波を復調し、演算処理回路３３は、復調された電波に基づいて、絶対方位を示す位置情報を検出し、本体機能部１０に出力する。演算処理回路３３から出力された位置情報は、本体機能部１０において、画像制御装置１３により、地図データメモリ１４に記憶されている地図情報と共に画像処理され、映像表示部２０に出力される。
【００２８】
映像表示部２０は、液晶ディスプレイ２，駆動回路２１を備えている。駆動回路２１は、本体機能部１０から出力された画像処理結果を入力し、液晶ディスプレイ２上に表示する。
【００２９】
これにより、液晶ディスプレイ２上には、位置情報に相当する部分がマーキングされた地図情報が表示される。従って、携帯用無線電話装置のユーザは、自分が現在いる場所を認識することができる。
【００３０】
なお、位置検出部３０の制御は、本体機能部１０が行うようにしても、基地局から送信された制御信号等に基づいて行うようにしてもよい。
【００３１】
一方、本体機能部１０においては、キーボタン６の操作によっては、送受信回路１１は、位置検出部３０の演算処理回路３３から出力された位置情報を、通話送受信用アンテナ５から通話相手に送信する。
【００３２】
また、本体機能部１０においては、通話送受信用アンテナ５により受信され、送受信回路１１により復調された情報に位置情報で含まれている場合は、上述と同様に、画像制御回路１３が、この位置情報を地図データメモリ１４に記憶されている地図情報と共に画像処理し、映像表示部２０に出力する。映像表示部２０においては、本体機能部１０から出力された画像処理結果を入力し、液晶ディスプレイ２上に表示する。なお、通常の音声情報は、レシーバー３から音声として出力される。
【００３３】
上述したように、本実施例の携帯用無線電話装置を両方の通話者が所持していると、位置情報を送受信することが可能となるので、一方または両方が地理に不案内な状況下であっても、位置情報を的確・迅速に通知することができ、事故発生時等の緊急時に、地理に不案内な状況下であっても、その現場の位置情報を正確に素早く通知することができる。
【００３４】
なお、本実施例においては、位置情報の表示の仕方として、地図情報と合わせて表示するようにしているが、地図データメモリ１４の代わりに、いくつかの位置情報とそれに対応する地理情報を記憶している地理データメモリを備えるようにし、検出された位置情報に最も近い位置情報を検索し、検索された位置情報に対応する地理情報を、例えば、「〇〇駅周辺」，「××公園周辺」というように、メッセージで表示するようにしてもよい。これにより、地図情報と合わせて表示する場合に比べて、複雑な画像処理を不要とすることができる。
【００３５】
図３は本発明の第２の実施例の携帯用無線電話装置の斜視図である。
【００３６】
本実施例の携帯用無線電話装置の構成は、上記第１の実施例の携帯用無線電話装置の構成と同様であるが、地図データメモリ１４は不要であり、また、液晶ディスプレイ２は備えていても備えていなくてもよい。
【００３７】
本実施例においては、携帯用無線電話本体１を、専用ケーブル４１を介して、大量の地図情報や詳細な地図情報を記憶しているメモリ装置４２（例えば、ＣＤ−ＲＯＭドライバ装置）および大型表示装置（例えば、ＣＲＴディスプレイ装置）４０と接続可能としている。これにより、携帯用無線電話本体１で得た位置情報を、メモリ装置４２に記憶されている地図情報と共に、大型表示装置４０に表示することができる。
【００３８】
なお、本実施例においては、メモリ装置４２および大型表示装置４０を別々に接続可能としているが、メモリ装置４２および大型表示装置４０が一体化した装置と接続可能としてもよい。
【００３９】
図４は本発明の第３の実施例の携帯用無線電話装置の斜視図である。
【００４０】
本実施例の携帯用無線電話装置の構成は、上記第１の実施例の携帯用無線電話装置の構成と同様であるが、衛星受信用アンテナ３１および通話送受信用アンテナ５の代わりに、衛星受信・通話送受信共用アンテナ３４（例えば、ヘリカルアンテナ）だけを備えている。
【００４１】
これは、衛星から出力される電波の周波数が１.５ＧＨＺ帯であり、ディジタル方式の無線電話機の送受信周波数も１.５ＧＨＺ帯に割り当てられていることから、標準ダイポール比利得の比較的高いアンテナを使用することで共用化が可能となる。
【００４２】
なお、本発明は、上述した実施例のほかにも種々の変形が可能であり、例えば、本体機能部１０および位置検出部３０のみを備えるようにし、位置情報の送信のみを行わせるようにしてもよい。さらにまた、画像表示部２０および位置検出部３０を備えた別の装置と本体機能部１０を備えた携帯用無線電話とをドッキングさせるようにしてもよい。
【図面の簡単な説明】
【００４３】
【図１】本実施例の第１の実施例の携帯用無線電話装置の斜視図。
【図２】本実施例の第１の実施例の携帯用無線電話装置の機能ブロック図。
【図３】本発明の第２の実施例の携帯用無線電話装置の斜視図。
【図４】本発明の第３の実施例の携帯用無線電話装置の斜視図。
【図５】従来の携帯用無線電話装置の斜視図。
【符号の説明】
【００４４】
１…携帯用無線電話本体、２…液晶ディスプレイ、３…レシーバー、４…マイク、５…通話送受信用アンテナ、６…キーボタン、１０…本体機能部、１１…送受信回路、１２…主制御回路、１３…画像制御回路、１４…地図データメモリ、２０…画像表示部、２１…駆動回路、３０…位置検出部、３１…衛星受信アンテナ、３２…受信回路、３３…演算処理回路、３４…衛星受信・通話送受信共用アンテナ、４０…大型表示装置、４１…専用ケーブル、４２…メモリ装置。
【図１】
2004242343.tif 000003
【図２】
2004242343.tif 000004
【図３】
2004242343.tif 000005
【図４】
2004242343.tif 000006
【図５】
2004242343.tif 000007